【手続補正書】
【提出日】令和2年12月2日(2020.12.2)
【手続補正１】
【補正対象書類名】特許請求の範囲
【補正対象項目名】全文
【補正方法】変更
【補正の内容】
【特許請求の範囲】
【請求項１】
道路網上でのターゲット車両の速度を特徴付けるための方法であって、
データを収集し記憶するステップであって、前記データが道路網の複数の道路区画を通過する１又は２以上の車両からの区画速度を含み、
前記データが複数の区画速度を、対応する道路区画と、天候状況、時刻、曜日、太陽の眩しさ、工事、交通量、運転者の経験、運転者の疲労、運転者の注意散漫、道路タイプ、道路幾何形状、及び道路状況からなる共変量尺度群から選択される１又は２以上の共変量尺度とに関連づける、
前記データを収集し記憶するステップと、
前記複数の道路区画の各道路区画について、前記道路区画に関連する収集された前記データを処理して、前記道路区画に関する速度特徴を決定するステップであって、
前記道路区画を通過する車両について収集された区画速度と、前記道路区画に類似する他の道路区画を通過する車両について収集された区画速度とを使用して、前記１又は２以上の共変量尺度に依存する、前記道路区画上での車両の速度分布を決定するステップを含む、
前記速度特徴を決定するステップと、
一連の道路区画内の各道路区画について、前記ターゲット車両からデータを収集するステップであって、
前記収集されたデータに関連する前記共変量尺度群から、１又は２以上の収集された共変量尺度を決定するステップを含む、
前記ターゲット車両からデータを収集するステップと、
前記一連の道路区画内の１又は２以上の道路区画について、前記１又は２以上の収集された共変量尺度に依存する前記道路区画に関する前記速度特徴と前記道路区画上で前記ターゲット車両から収集された前記データとを組み合わせて、前記道路区画上での前記ターゲット車両の速度に関する区画特有スコアを計算するステップと、
前記区画特有スコアのうちの１又は２以上から決定された、前記ターゲット車両の速度を特徴付けるデータを提供するステップであって、
リスクを評価する目的で、前記ターゲット車両の運転者と当事者の少なくとも一方に提示するための安全性の程度を提供するステップを含む、
前記データを提供するステップと
を含む、前記方法。
【請求項２】
車両の速度を特徴付けるデータを提供するステップが、前記データをターゲット車両の運転者に提供するステップを含む、請求項１に記載の方法。
【請求項３】
一連の道路区画内の各道路区画について、区画特有スコアを集約して、ターゲット車両に関する運転スコアを計算するステップをさらに含み、
車両の速度を特徴付けるデータを提供するステップが、前記運転スコアを提供するステップを含む、
請求項１又は２に記載の方法。
【請求項４】
道路区画上のターゲット車両の速度に関する区画特有スコアが、運転者の速度の安全性の程度を含み、前記ターゲット車両の運転スコアが、集約された安全性の程度を特徴づける、請求項３に記載の方法。
【請求項５】
運転スコアを提供することが、集約された安全性の程度を車両の運転者に提供することを含む、請求項４に記載の方法。
【請求項６】
運転スコアを提供することが、リスクを評価する目的で、集約された安全性の程度を保険会社に提供することを含む、請求項４に記載の方法。
【請求項７】
データを収集し記憶するステップにおいて、１又は２以上の車両が複数の車両を含む、請求項１〜６のいずれかに記載の方法。
【請求項８】
データを収集し記憶するステップにおいて、前記データが、複数の区画速度を含み、各区画速度に、対応する道路区画、車両又は車両の運転者、及び前記区画の通過時間が関連付けられる、請求項１〜７のいずれかに記載の方法。
【請求項９】
速度特徴とターゲット車両から収集されたデータとを組み合わせて、前記ターゲット車両の速度に関する区画特有スコアを計算するステップが、道路区画上の車両の速度分布と前記ターゲット車両について収集された前記データから決定された速度とを組み合わせるステップを含む、請求項１〜８のいずれかに記載の方法。
【請求項１０】
道路区画上の車両の速度分布とターゲット車両について収集されたデータから決定された速度とを組み合わせるステップが、前記道路区画の前記速度分布における前記ターゲット車両の前記速度のパーセンタイルを決定するステップを含む、請求項９に記載の方法。
【請求項１１】
ターゲット車両の速度に関する区画特有スコアが、パーセンタイルから決定されたスコアを含む、請求項１０に記載の方法。
【請求項１２】
パーセンタイルから決定されたスコアが、定量的スコアを含む、請求項１１に記載の方法。
【請求項１３】
パーセンタイルから決定されたスコアが、分類別スコアを含む、請求項１１に記載の方法。
【請求項１４】
車両の速度分布を決定するステップが、類似する道路区画に関するデータに、それらの道路区画の類似性に従って加重することを含む、請求項１〜１３のいずれかに記載の方法。
【請求項１５】
ターゲット車両の速度に関する区画特有スコアが、分類別スコアを含む、請求項１〜１４のいずれかに記載の方法。
【請求項１６】
記憶された命令を含む機械可読媒体であって、前記命令をプロセッサ上で実行すると、前記プロセッサが、道路網上でのターゲット車両の速度の特徴付けであって、
データを受信し記憶することであって、前記データが道路網の複数の道路区画を通過する１又は２以上の車両からの区画速度を含み、
前記データが複数の区画速度を、対応する道路区画と、天候状況、時刻、曜日、太陽の眩しさ、工事、交通量、運転者の経験、運転者の疲労、運転者の注意散漫、道路タイプ、道路幾何形状、及び道路状況からなる共変量尺度群から選択される１又は２以上の共変量尺度とに関連づける、
前記データを受信し記憶することと、
前記複数の道路区画の各道路区画について、前記道路区画に関連する収集された前記データを処理して、前記道路区画に関する速度特徴を決定することであって、
前記道路区画を通過する車両について収集された区画速度と、前記道路区画に類似する他の道路区画を通過する車両について収集された区画速度とを使用して、前記１又は２以上の共変量尺度に依存する、前記道路区画上での車両の速度分布を決定することを含む、
前記速度特徴を決定することと、
一連の道路区画内の各道路区画について、前記ターゲット車両からデータを受信することであって、
前記受信されたデータに関連する前記共変量尺度群から、１又は２以上の収集された共変量尺度を決定することを含む、
前記ターゲット車両からデータを受信することと、
前記一連の道路区画内の１又は２以上の道路区画について、前記１又は２以上の収集された共変量尺度に依存する前記道路区画に関する前記速度特徴と前記道路区画について前記ターゲット車両から受信された前記データとを組み合わせて、前記道路区画上での前記ターゲット車両の速度に関する区画特有スコアを計算することと、
前記区画特有スコアのうちの１又は２以上から決定された、前記ターゲット車両の速度を特徴付けるデータを提供することであって、
リスクを評価する目的で、前記ターゲット車両の運転者と当事者の少なくとも一方に提示するための安全性の程度を提供することを含む、
前記データを提供することと
を含む前記特徴付けを行う、前記機械可読媒体。
【請求項１７】
道路区画上のターゲット車両の速度に関する区画特有スコアが、運転者の速度の安全性の程度を含む、請求項１に記載の方法。
【請求項１８】
分類別スコアが分類別の、運転者の速度の安全性の程度を含む、請求項１５に記載の方法。